【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
複数の入力リード線を有するミキサと、
前記ミキサの第１の入力リード線に結合された第１のインピーダンス要素と、
前記ミキサの第２の入力リード線に結合された第２のインピーダンス要素と、
前記ミキサのためのＬＯ信号を生成する、複数のデューティサイクルモードを備える局部発振器（ＬＯ）システムと、
を備え、前記局部発振器システムは、前記ミキサの第１の利得状態に基づいて第１のデューティサイクルで、そして前記ミキサの第２の利得状態に基づいて第２のデューティサイクルで、動作し、
前記第１および前記第２の変性インピーダンス要素の各々は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、を含む、装置。
【請求項２】
前記ミキサの前記第１の利得状態は、高利得状態を備え、そして前記ミキサの前記第２の利得は、低利得状態を備える、請求項１の装置。
【請求項３】
前記第１のデューティサイクルは、前記第２のデューティサイクルのデューティサイクルレートよりも低いデューティサイクルレートを備える、請求項１の装置。
【請求項４】
前記ミキサは、各々が、各リード線が異なるインピーダンス要素に結合された複数の入力リード線を有する複数のミキサを備え、前記ＬＯシステムは、前記複数のミキサのための前記ＬＯ信号を生成し、そして前記局部発振器は、前記複数のミキサの前記第１の利得状態に基づいて前記第１のデューティサイクルで、そして前記複数のミキサの前記第２の利得状態に基づいて前記第２のデューティサイクルで、動作する、請求項１の装置。
【請求項５】
インピーダンス要素と、複数のデューティサイクルモードを有する局部発振器（ＬＯ）とに結合されたミキサの利得状態を決定することと、なお前記決定された利得状態は、前記ミキサの第１および第２の利得のうちの少なくとも一方に対応し、前記インピーダンス要素は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、を含む、
前記ミキサの前記決定された利得状態に基づいて前記局部発振器システムの前記複数のデューティサイクルモードからデューティサイクルモードを選択することと、
前記ミキサの決定された第１の利得状態に基づいて、選択された第１のデューティサイクルモードで動作するように前記局部発振器システムに指示することと、
前記ミキサの決定された第２の利得状態に基づいて、選択された第２のデューティサイクルモードで動作するように前記局部発振器システムに指示することと、
を備える方法。
【請求項６】
コンピュータに、インピーダンス要素と、複数のデューティサイクルモードを有する局部発振器（ＬＯ）とに結合されたミキサの利得状態を決定するようにさせるためのコードと、なお前記決定された利得状態は、前記ミキサの第１および第２の利得のうちの少なくとも一方に対応し、前記インピーダンス要素は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、を含む、
前記コンピュータに、前記ミキサの前記決定された利得状態に基づいて前記局部発振器システムの前記複数のデューティサイクルモードからデューティサイクルモードを選択するようにさせるためのコードと、
前記コンピュータに、前記ミキサの決定された第１の利得状態に基づいて、選択された第１のデューティサイクルモードで動作するように前記局部発振器システムに指示するようにさせるためのコードと、
前記コンピュータに、前記ミキサの決定された第２の利得状態に基づいて、選択された第２のデューティサイクルモードで動作するように前記局部発振器システムに指示するようにさせるためのコードと、
を備えるコンピュータ可読記憶媒体。
【請求項７】
インピーダンス要素と、複数のデューティサイクルモードを有する局部発振器（ＬＯ）とに結合されたミキサの利得状態を決定するための手段と、なお前記決定された利得状態は、前記ミキサの第１および第２の利得のうちの少なくとも一方に対応し、前記インピーダンス要素は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、を含む、
前記ミキサの前記決定された利得状態に基づいて前記局部発振器システムの前記複数のデューティサイクルモードからデューティサイクルモードを選択するための手段と、
前記ミキサの決定された第１の利得状態に基づいて、選択された第１のデューティサイクルモードで動作するように、そして前記ミキサの決定された第２の利得状態に基づいて、選択された第２のデューティサイクルモードで動作するように、前記局部発振器システムに指示するための手段と、
を備える装置。
【請求項８】
複数のミキサコアを備えるミキサと、
前記ミキサに供給されるＬＯ信号を生成する、複数のデューティサイクルモードを備える局部発振器（ＬＯ）システムと、
（ａ）前記ミキサの第１の利得に基づいて第１のデューティサイクルモードで、前記複数のミキサコアからの第１のミキサコアと、前記局部発振器システムとを動作させ、（ｂ）前記ミキサの第２の利得に基づいて前記第１のデューティサイクルモードで、前記ミキサと、前記複数のミキサコアからの第２のミキサコアとのうちの少なくとも一方と、前記局部発振器システムとを動作させ、そして（ｃ）前記ミキサの第３の利得に基づいて第２のデューティサイクルモードで、前記第１のミキサコアと、前記局部発振器システムとを動作させるコントローラと、
を備え、
前記ミキサコアの各々は、複数の入力リード線を有し、第１のインピーダンス要素は、第１のミキサコアの第１の入力リード線に結合され、第２のインピーダンス要素は、前記第１のミキサコアの第２の入力リード線に結合され、第３のインピーダンス要素は、第２のミキサコアの第１の入力リード線に結合され、そして第４のインピーダンス要素は、前記第２のミキサコアの第２の入力リード線に結合され、
前記第１、第２、第３および第４のインピーダンス要素の各々は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、を含む、装置。
【請求項９】
前記複数のミキサコアの中の少なくとも１つのミキサコアは、前記複数のミキサコアの中の他のミキサコアとは異なるインピーダンス値を備える、請求項８の装置。
【請求項１０】
前記第１のミキサコアは、前記第２のミキサコアよりも小さなインピーダンス値のものである、請求項９の装置。
【請求項１１】
前記ミキサは、第１の入力と第２の入力とを備え、そして前記ミキサの前記第１の入力は、前記ミキサコアの前記第１の入力リード線を備え、そして前記ミキサの前記第２の入力は、前記ミキサコアの前記第２のリード線を備える、請求項８の装置。
【請求項１２】
前記ミキサは、第１の出力と第２の出力とを備え、前記複数のミキサコアは、各々、第１の出力と第２の出力とを備え、そして前記ミキサの前記第１の出力は、前記ミキサコアの前記第１の出力を備え、そして前記ミキサの前記第２の出力は、前記ミキサコアの前記第２の出力を備える、請求項８の装置。
【請求項１３】
各々が、前記ミキサの対応する入力リード線に結合された複数の出力リード線を有する低雑音増幅器（ＬＮＡ）、
をさらに備える請求項８の装置。
【請求項１４】
前記ＬＮＡは、可変利得ＬＮＡを備える、請求項１３の装置。
【請求項１５】
前記複数のミキサコアの各々は、能動コアと受動コアとのうちの少なくとも一方を備える、請求項８の装置。
【請求項１６】
前記局部発振器（ＬＯ）システムは、前記第１および前記第２のデューティサイクルモードに対応するデューティサイクルを生成するデューティサイクルジェネレータシステムをさらに備える、請求項８の装置。
【請求項１７】
前記局部発振器（ＬＯ）システムは、
各々が、前記デューティサイクルジェネレータシステムの前記複数の出力リード線の中の対応する出力リード線に結合された複数の入力リード線と、
前記コントローラから受信される制御信号に基づいて前記の第１および第２のデューティサイクルのうちの少なくとも一方に対応する信号を前記ミキサに供給する、前記ミキサの前記第１のミキサコアの対応する第１の複数の入力リード線に結合された第１の複数の出力リード線と、
前記コントローラから受信される制御信号に基づいて前記の第１および第２のデューティサイクルのうちの少なくとも一方に対応する信号を前記ミキサに供給する、前記ミキサの前記第２のミキサコアの対応する第２の複数の入力リード線に結合された第２の複数の出力リード線と、
を備えるバッファシステムをさらに備える、請求項１６の装置。
【請求項１８】
前記ミキサの前記第１の利得状態は、高利得状態を備え、前記ミキサの前記第２の利得は、低利得状態を備え、そして前記第３の利得状態は、前記ミキサの前記第２の利得よりも低い低利得状態を備える、請求項８の装置。
【請求項１９】
各々が、複数のミキサコアを備える複数のミキサ、をさらに備え、前記局部発振器（ＬＯ）システムは、前記複数のミキサに供給されるＬＯ信号を生成し、そして前記コントローラは、（ａ）前記複数のミキサの第１の利得に基づいて第１のデューティサイクルモードで、前記複数のミキサの各々の中の前記複数のミキサコアからの前記第１のミキサコアと、前記局部発振器システムとを動作させ、（ｂ）前記複数のミキサの第２の利得に基づいて前記第１のデューティサイクルモードで、前記複数のミキサと、前記複数のミキサの各々の中の前記複数のミキサコアからの第２のミキサコアとのうちの少なくとも一方と、前記局部発振器システムとを動作させ、そして（ｃ）前記複数のミキサの第３の利得に基づいて第２のデューティサイクルモードで、前記複数のミキサコアからの前記第１のミキサコアと、前記局部発振器システムとを動作させる、請求項８の装置。
【請求項２０】
複数のミキサコアを有し、そしてインピーダンス要素と、複数のデューティサイクルモードを有する局部発振器（ＬＯ）とに結合されたミキサの利得状態を決定することと、なお前記決定された利得状態は、前記ミキサの第１、第２、および第３の利得のうちの少なくとも１つに対応し、前記インピーダンス要素は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、を含む、
前記ミキサの前記決定された利得状態に基づいて、前記複数のミキサコアからのミキサコアと、前記局部発振器システムの前記複数のデューティサイクルモードからのデューティサイクルモードとを選択することと、
前記ミキサが、前記第１の利得状態にあることが決定される場合に、選択された第１のデューティサイクルモードで動作するように、そして選択された第１のミキサコアにＬＯ信号を供給するように、前記局部発振器システムに指示することと、
前記ミキサが、前記第２の利得状態にあることが決定される場合に、前記選択された第１のデューティサイクルモードで動作するように、そして前記ミキサと、選択された第２のミキサコアとのうちの少なくとも一方にＬＯ信号を供給するように、前記局部発振器システムに指示することと、
前記ミキサが、前記第３の利得状態にあることが決定される場合に、選択された第２のデューティサイクルモードで動作するように、そして前記選択された第１のミキサコアにＬＯ信号を供給するように、前記局部発振器システムに指示することと、
を備える方法。
【請求項２１】
コンピュータに、複数のミキサコアを有し、そしてインピーダンス要素と、複数のデューティサイクルモードを有する局部発振器（ＬＯ）とに結合されたミキサの利得状態を決定するようにさせるためのコードと、なお前記決定された利得状態は、前記ミキサの第１、第２、および第３の利得のうちの少なくとも１つに対応し、前記インピーダンス要素は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、を含む、
前記コンピュータに、前記ミキサの前記決定された利得状態に基づいて、前記複数のミキサコアからのミキサコアと、前記局部発振器システムの前記複数のデューティサイクルモードからのデューティサイクルモードとを選択するようにさせるためのコードと、
前記コンピュータに、前記ミキサが、前記第１の利得状態にあることが決定される場合に、選択された第１のデューティサイクルモードで動作するように、そして選択された第１のミキサコアにＬＯ信号を供給するように、前記局部発振器システムに指示するようにさせるためのコードと、
前記コンピュータに、前記ミキサが、前記第２の利得状態にあることが決定される場合に、前記選択された第１のデューティサイクルモードで動作するように、そして前記ミキサと、選択された第２のミキサコアとのうちの少なくとも一方にＬＯ信号を供給するように、前記局部発振器システムに指示するようにさせるためのコードと、
前記コンピュータに、前記ミキサが、前記第３の利得状態にあることが決定される場合に、選択された第２のデューティサイクルモードで動作するように、そして前記選択された第１のミキサコアにＬＯ信号を供給するように、前記局部発振器システムに指示するようにさせるためのコードと、
を備えるコンピュータ可読記憶媒体。
【請求項２２】
複数のミキサコアを有し、そしてインピーダンス要素と、複数のデューティサイクルモードを有する局部発振器（ＬＯ）とに結合されたミキサの利得状態を決定するための手段と、なお前記決定された利得状態は、前記ミキサの第１、第２、および第３の利得のうちの少なくとも１つに対応し、前記インピーダンス要素は、抵抗と、キャパシタと、トランジスタと、直列に結合された抵抗とキャパシタと、直列に結合された抵抗とトランジスタと、直列に結合されたキャパシタとトランジスタと、直列に一緒に結合された抵抗とキャパシタとトランジスタと、を含む、
前記ミキサの前記決定された利得状態に基づいて、前記複数のミキサコアからのミキサコアと、前記局部発振器システムの前記複数のデューティサイクルモードからのデューティサイクルモードとを選択するための手段と、
前記ミキサが、前記第１の利得状態にあることが決定される場合に、選択された第１のデューティサイクルモードで動作するように、そして選択された第１のミキサコアにＬＯ信号を供給するように、前記ミキサが、前記第２の利得状態にあることが決定される場合に、前記選択された第１のデューティサイクルモードで動作するように、そして前記ミキサと、選択された第２のミキサコアとのうちの少なくとも一方にＬＯ信号を供給するように、そして前記ミキサが、前記第３の利得状態にあることが決定される場合に、選択された第２のデューティサイクルモードで動作するように、そして前記選択された第１のミキサコアにＬＯ信号を供給するように、前記局部発振器システムに指示するための手段と、
を備える装置。